(57)【要約】【課題】本発明の目的は、旅行や登山をした場合、移動した軌跡を地図上に表示し、そこで撮影した画像を撮影した方向を確認しながら表示することにある。【解決手段】現在位置検出手段、撮影方向検出手段、撮影手段とを持ち、前記撮影手段での撮影時に、前記現在位置検出手段により位置情報を検出し、前記撮影方向検出手段より撮影方向の情報を検出して、撮影画像情報と一緒に記録する。記録した撮影情報（撮影の位置情報、方向情報、画像情報）と地図ＤＢと関連させ、地図表示画面における方向性を持ったアイコンとして地図上に表示する手段とを有する。【選択図】図１
2007129407.tif 000002
【特許請求の範囲】
【請求項１】
現在位置検出手段、撮影方向検出手段、撮影手段とを持ち、前記撮影手段で撮影時に、前記現在位置検出手段により位置情報を、前記撮影方向検出手段より撮影方向の情報を得て、日時を含む撮影画像情報と一緒に記録することを特徴とするカメラシステム。
【請求項２】
請求項１のカメラシステムから得た前記撮影情報（撮影の位置情報、方向情報、画像情報）と地図ＤＢと関連させ、地図表示画面における方向性を持ったアイコンとして地図上に表示することを特徴とする地図情報表示システム。
【請求項３】
請求項２において、現在位置が前記アイコンで示されている位置にあるか、前記アイコンが入力手段により指定された場合には、当該アイコンの位置で撮影した画像情報を画面上に表示することを特徴とする地図情報表示システム。
【請求項４】
請求項３において、同一地点の複数のアイコンがある場合には、移動している方向、または入力手段により指定された方向のアイコンの撮影画像情報を画面上に表示することを特徴とする地図情報表示システム。
【発明の詳細な説明】
【技術分野】
【０００１】
本発明は、ＧＰＳ（Global Positioning System）付きのカメラシステムに関わり、特に撮影情報としてカメラの撮影方向のデータを持ち、地図上に当該撮影画像情報に関する方向付きアイコンとして表示することを特徴とする地図表示システムに関するものである。
【背景技術】
【０００２】
特許文献１では、ＧＰＳ付きカメラシステムで撮影した画像情報の位置情報の精度を上げる発明であった。しかし、撮影した画像情報と地図ＤＢ（データベース）とを対応させ、地図上に表示することはできない。
【特許文献１】特開２００１−３０９２１７号公報
【発明の開示】
【発明が解決しようとする課題】
【０００３】
旅行や登山をした場合、移動した軌跡を地図上に表示し、そこで撮影した画像を撮影した方向を確認しながら表示したい場合がある。それは、旅行や登山の思い出を参加者以外の人を含めて楽しんだり、再度、同じ場所に本人が時間をあけてから行ったり、別の人が行ったりする場合に、その場所で風景を確認して、間違いなく行きたい場合である。
【課題を解決するための手段】
【０００４】
現在位置検出手段、撮影方向検出手段、撮影手段とを持ち、前記撮影手段で撮影時に、前記現在位置検出手段により位置情報を、前記撮影方向検出手段より撮影方向の情報を得て、撮影画像情報（日時も含む）と一緒に記録する。記録した撮影情報（撮影の位置情報、方向情報、画像情報）と地図ＤＢと関連させ、地図表示画面における方向性を持ったアイコンとして地図上に表示する手段を持つことで、撮影画像情報を活用することができる。
【発明の効果】
【０００５】
旅行や登山が終わって利用する場合には、移動軌跡に応じた撮影画像情報を見ることができるので、旅行や登山の思い出をより豊かなものにすることができる。また、同じ場所に行く場合には、経路や目的地を誤りなく辿ることができるので、安心して行くことができる。
【発明を実施するための最良の形態】
【０００６】
本発明は、カメラ付き・ＧＰＳ付き・地図付き携帯電話、ハンディＧＰＳ（地図付き）とカメラを組み合わせたシステム等で、旅行・登山ガイドツールとしての使い方に適したものである。
【実施例１】
【０００７】
図１〜図４を用いて、本発明の一実施例を説明する。図２は、本発明を実施するための、カメラシステム、地図情報表示システムの構成例２００である。処理するための一般的な中央処理手段２０１、記憶手段２０２、表示手段２０３、操作入力手段２０６とデータ入出力手段２０８を持つ。そして、本発明に特有な撮影手段２０４、撮影方向検出手段２０５、地図ＤＢ手段２０７、現在位置検出手段２０９、時計手段２１０を持つ。図３は、撮影情報テーブル３００である。撮影情報テーブル３００は、撮影画像の番号３０１、北方向を０°基準とした時計回りの角度（０〜３６０°）を表す撮影方向３０２、撮影した場所の経度３０３、緯度３０４、高度３０５、撮影日３０６、時刻３０７と撮影画像ファイルのリンク先３０８から構成されている。撮影画像データ３１０は、画像の番号３０１は「１」、撮影方向３０２は「３４５°」、経度３０３は「Ｘ１」、緯度３０４は「Ｙ１」、高度３０５は「Ｚ１」、日付３０６は「Ｄ１」、時刻３０７は「Ｔ１」で、撮影画像リンク先３０８は「Ｒ１」を示している。他の画像データ３１１，３１２も同様である。
【０００８】
図１は、表示手段２０３上の表示画面１００の例で、現在の日時１０２、地図１０１上に表示した撮影情報と撮影画像の表示画面１３０を表示している。地図１０１には、現在位置検出手段２０９で検出した移動軌跡１１０、１１１、１１２と撮影手段２０４で撮影した場所と撮影方向検出手段２０５で検出した方向を示すアイコン１２０、１２１、１２２が表示されている。撮影画像の表示画面１３０には、撮影した方向を示すアイコン１３１と数値で表現された撮影方向１３２を示している。図４の処理フローチャートを使って本発明の処理を説明する。ユーザが撮影手段２０４で撮影を開始する（ブロック４００）。
【０００９】
撮影した画像は決められた一連のファイル名を付けて記憶手段２０２に保存し、その撮影画像リンク先３０８を記憶手段２０２にある撮影情報テーブル３００に記録する（ブロック４０１）。撮影方向検出手段２０５により、撮影したときの撮影方向を検出し、撮影方向３０２に記録する（ブロック４０２）。また、現在位置検出手段２０９により、撮影したときの現在位置を検出し、経度３０３、緯度３０４、高度３０５として撮影情報テーブル３００に記録する（ブロック４０３）。そして、時計手段２１０により、撮影したときの日時を日付３０６、時刻３０７として撮影情報テーブル３００に記録する（ブロック４０４）。撮影情報テーブル３００のデータをもとに、地図上に撮影方向付きのアイコンを表示する（ブロック４０５）。その後、処理を終了する（ブロック４０６）。
【実施例２】
【００１０】
図５を用いて、旅行後の利用について、本発明の一実施例を説明する。ユーザが、旅行後、本システムを立ち上げる（ブロック５００）。ユーザは表示したい期間を設定する（ブロック５０１）。ユーザから設定された期間に撮影された画像を撮影情報テーブル３００で検索する（ブロック５０２）。検索された画像の撮影場所の経度３０３と緯度３０４と、地図ＤＢ手段２０７とで対応をとり、当該画像の方向付きアイコン１２０、１２１、１２２を地図１０１上に表示する（ブロック５０３）。同じ位置にある場合には、図１の方向付きアイコン１２１のように、複数の方向を表示する。ユーザは画像を見たい方向付きアイコン１２２を操作入力手段２０６で選択する（ブロック５０４）。選択されたアイコンは、選択中であることを示すために、形状を変えたり色を変えたりしてもよい。
【００１１】
選択されたアイコンの画像に対応する画像を撮影画像リンク先３０８から求め、当該画像データを画像表示画面１３０に表示する（ブロック５０５）。ユーザは表示を終わるか、さらに別の画像を表示するかを判断する（ブロック５０６）。別の画像を見る場合には、別の方向付きアイコンを選択するブロック５０４に行く。終了する場合には、ブロック５０７に行く。実施例２では、ユーザが方向付きアイコンを選択したが、ユーザが移動し、現在位置検出手段２０９が過去に撮影した方向付きアイコンの位置に到達した場合には、当該方向付きアイコンで示す画像を選択されたものとして、表示してもよい。また、同じ位置に複数の方向付きアイコンがある場合には、ユーザが移動して進む方向に最も近い方向の方向付きアイコンを選択されたものとして画像を表示してもよい。
【図面の簡単な説明】
【００１２】
【図１】地図上に表示した撮影情報と撮影画像の表示画面例。
【図２】カメラシステム、地図情報表示システムの構成例。
【図３】撮影情報テーブル。
【図４】撮影画像登録の処理フローチャート。
【図５】登録された画像の参照処理フローチャート。
【符号の説明】
【００１３】
１００…表示画面
１０１…地図表示画面
１０２…時刻表示
１１０、１１１、１１２…移動軌跡
１２０、１２１、１２２…撮影方向付きアイコン
１３０…撮影画像
１３１…当該撮影画像の撮影方向付きアイコン
１３２…撮影方向（角度表示）
３００…撮影情報テーブル
３０１…撮影画像の番号
３０２…撮影方向データ
３０３、３０４、３０５…撮影位置（経度、緯度、高度）データ
３０６、３０７…撮影日時（日付、時刻）データ
３０８…撮影画像リンク先データ
３１０、３１１、３１２…撮影画像データ例
【図１】
2007129407.tif 000003
【図２】
2007129407.tif 000004
【図３】
2007129407.tif 000005
【図４】
2007129407.tif 000006
【図５】
2007129407.tif 000007